(57)【要約】【課題】情報入力操作に対して応答性の良い情報入力装置を得ることを目的とする。【解決手段】情報入力装置１に、接触式の情報入力機能を備えたパネル部材４と、パネル部材４を支持する支持部２ｂを有する筐体２と、パネル部材４と支持部２ｂとに亘って設けられ、パネル部材４に対する押圧操作力を検出する圧力検出部５と、パネル部材４及び支持部２ｂを互いに押し付けて圧力検出部５に初期荷重を付与する初期荷重付与部６とを備え、パネル部材４への押圧力に応じた情報入力操作を迅速に行えるようにした。【選択図】図２
2010238176.tif 000002
【特許請求の範囲】
【請求項１】
接触式の情報入力機能を備えたパネル部材と、
前記パネル部材を支持する支持部を有する筐体と、
前記パネル部材と前記支持部とに亘って設けられ、前記パネル部材に対する押圧操作力を検出する圧力検出部と、
前記パネル部材及び前記支持部を互いに押し付けて前記圧力検出部に初期荷重を付与する初期荷重付与部とを備えた情報入力装置。
【請求項２】
前記初期荷重付与部が弾性部材を備え、当該弾性部材を、前記パネル部材と前記圧力検出部との間、あるいは、前記圧力検出部と前記支持部との間に設けてある請求項１に記載の情報入力装置。
【請求項３】
前記初期荷重付与部が弾性部材を備え、前記パネル部材の一方の側に当該弾性部材を設けるとともに、前記パネル部材の他方の側に前記圧力検出部を設けてある請求項１に記載の情報入力装置。
【請求項４】
前記圧力検出部と前記パネル部材との間、あるいは、前記圧力検出部と前記支持部との間に、
前記パネル部材あるいは前記支持部からの荷重を集中して受け取り、当該荷重を前記圧力検出部に分散させて伝達すると共に、
前記圧力検出部に対する前記パネル部材あるいは前記支持部の姿勢変化を許容する荷重伝達部を備えた請求項１〜３のいずれか一項に記載の情報入力装置。
【請求項５】
前記圧力検出部及び前記初期荷重付与部を前記パネル部材の周縁部の少なくとも一部に設けた請求項１〜４のいずれか一項に記載の情報入力装置。
【発明の詳細な説明】
【技術分野】
【０００１】
本発明は、ユーザがパネル部材上を押圧操作することにより、その押圧力に応じた情報の入力を可能にした情報入力装置に関する。
【背景技術】
【０００２】
情報入力機能を有するパネル部材を備えた情報入力装置として、液晶ディスプレイ上にタッチパネルを配置したものが広く使用されている。液晶モニタを有するデジタルカメラでは、液晶モニタの上面に、接触位置及び押圧力を検知できるパネル部材を設け、接触時の押圧の強さに応じて異なる指示を与えるようにしたものが存在する（例えば、特許文献１、図１６参照）。
【０００３】
また、カーナビゲーション装置の表示装置においては、液晶表示器の表面部にタッチパネルを備えて構成され、タッチパネルに対する押圧力を押圧時間、押圧回数等で検出し、異なる指示を与えるようにしたものが存在する（例えば、特許文献２参照）。タッチパネル以外においても、携帯端末の文字入力等を行う操作ボタンの下に圧力センサを配置し、当該操作ボタンが押下された場合の圧力を計測して、計測された圧力値に応じて入力される文字の大きさを変えるようにしたものが存在する（例えば、特許文献３参照）。
【先行技術文献】
【特許文献】
【０００４】
【特許文献１】特開平１１−３５５６１７号公報
【特許文献２】特開２００６−３９７４５号公報
【特許文献３】特開２００４−１７７９９４号公報
【発明の概要】
【発明が解決しようとする課題】
【０００５】
パネル部材の押圧力を検出する感圧センサは通常、図１７に示すように、特に軽荷重を検出する際、検出値（抵抗値）の誤差範囲が広く、感度が一定しないという問題があった。このようなことから、誤差範囲の広い軽荷重における検出値はあまり採用せず、所定の荷重（図１７の矢印からの荷重）の検出値を主に採用し制御していた。しかし、これではパネル部材の初期押圧時の軽荷重は情報入力にはなんら寄与せず、その後に安定した検出値の範囲の荷重が与えられて初めて情報入力されることとなり、迅速な情報入力操作を行うことができない。
【０００６】
そこで、本願に係る発明は、情報入力操作に対して応答性の良い情報入力装置を得ることを目的としている。
【課題を解決するための手段】
【０００７】
本発明に係る情報入力装置の第１の特徴構成は、接触式の情報入力機能を備えたパネル部材と、前記パネル部材を支持する支持部を有する筐体と、前記パネル部材と前記支持部とに亘って設けられ、前記パネル部材に対する押圧操作力を検出する圧力検出部と、前記パネル部材及び前記支持部を互いに押し付けて前記圧力検出部に初期荷重を付与する初期荷重付与部とを備えた点にある。
【０００８】
この構成により、初期荷重付与部が圧力検出部を押し付けて圧力検出部に予め初期荷重を付与することとなり、初期の不安定な検出値が自動的に排除される。したがって、パネル部材を押圧操作し圧力検出部が検出する値は、圧力検出部の安定した検出値の範囲内の値であるので、そのまま情報入力の制御に利用できる。このため、応答性がよく、誤差範囲である初期の加重について圧力検出部の検出値をキャンセルするといった制御等を行う必要もない。
【０００９】
本発明に係る情報入力装置の第２の特徴構成は、前記初期荷重付与部が弾性部材を備え、当該弾性部材を、前記パネル部材と前記圧力検出部との間、あるいは、前記圧力検出部と前記支持部との間に設けてある点にある。
【００１０】
弾性部材を圧力検出部とは隣接しない部位、例えば、パネル部材の上面や側面等に設けると、弾性部材と圧力検出部の間にパネル部材が介在し、圧力検出部に初期荷重を付与する際に、介在するパネル部材の影響をある程度考慮する必要がある。
しかし、前記の構成とすることで、弾性部材を圧力検出部に近接して配置でき、また、弾性部材が圧力検出部に直接作用して押し付けるので、パネル部材の曲がりや、各部品の組付け誤差等を考慮する必要がなくなり、圧力検出部に最適な初期荷重を付与することが容易となる。
また、弾性部材が圧力検出部に重ね合わせて配置されることとなり、パネル部材と圧力検出部、または、圧力検出部と支持部のうちいずれか一方とで挟まれ、弾性部材の位置固定を確実にして圧力検出部に初期荷重を付与することができる。
【００１１】
本発明に係る情報入力装置の第３の特徴構成は、前記初期荷重付与部が弾性部材を備え、前記パネル部材の一方の側に当該弾性部材を設けるとともに、前記パネル部材の他方の側に前記圧力検出部を設けてある点にある。
【００１２】
例えば、圧力検出部をパネル部材と支持部とに亘って設け、弾性部材をパネル部材の表面側に設けることで、圧力検出部及びパネル部材を情報入力装置に配置した後、弾性部材でパネル部材の表面側から圧力検出部を押し付けて初期荷重を付与することができる。弾性部材はパネル部材の表面側に設けられているので、弾性部材と圧力検出部との間に必ずパネル部材が介在することとなる。即ち、弾性部材と圧力検出部との位置関係が、パネル部材を挟んだ上下方向で多少ずれていたとしても、弾性部材がパネル部材を押し付ければ、結果的にパネル部材が圧力検出部を押し付けることとなり、圧力検出部に初期加重を付与できる。
【００１３】
また、圧力検出部をパネル部材の表面側に設け、弾性部材をパネル部材と支持部とに亘って設けると、弾性部材がパネル部材を介して圧力検出部を上方に押し付け、圧力検出部に初期荷重として重荷重を付与できる。よってこの場合には、パネル部材の押圧操作により圧力検出部にかかる圧力を減少させる方向に作用させて、押圧力を検出することができる。
【００１４】
本発明に係る情報入力装置の第４の特徴構成は、前記圧力検出部と前記パネル部材との間、あるいは、前記圧力検出部と前記支持部との間に、前記パネル部材あるいは前記支持部からの荷重を集中して受け取り、当該荷重を前記圧力検出部に分散させて伝達すると共に、前記圧力検出部に対する前記パネル部材あるいは前記支持部の姿勢変化を許容する荷重伝達部を備えた点にある。
【００１５】
この構成により、パネル部材が押圧操作された際に、荷重伝達部がパネル部材あるいは支持部からの荷重を圧力検出部に確実に伝達する。また、パネル部材の押圧操作の際にパネル部材の周縁部が上方に反るような場合であっても、荷重伝達部が圧力検出部に対するパネル部材あるいは支持部の姿勢変化を許容するので、荷重伝達部はパネル部材の水平時と変わりなく、パネル部材あるいは支持部からの荷重を集中して受け取り、当該荷重を前記圧力検出部に分散させて伝達する。このように、パネル部材への押圧操作力が安定的に圧力検出部に伝達されて圧力が検出されるので、パネル部材の押圧操作力を正確に検出することができる。
【００１６】
本発明に係る情報入力装置の第５の特徴構成は、前記圧力検出部及び前記初期荷重付与部を前記パネル部材の周縁部の少なくとも一部に設けた点にある。
【００１７】
このように構成することで、圧力検出部及び初期荷重付与部をパネル部材の周縁部の必要な箇所のみに配置されることとなり、パネル部材の構造の簡素化が図られる。
【図面の簡単な説明】
【００１８】
【図１】本発明に係る情報入力装置の斜視図である。
【図２】図１のII−II断面図である。
【図３】図２の圧力検出部近傍の拡大図である。
【図４】本発明に係る情報入力装置の実施形態１における圧力検出部と初期荷重付与部の配置を示す図である。
【図５】本発明に係る情報入力装置の実施形態２における要部の断面図である。
【図６】本発明に係る情報入力装置の実施形態３における要部の断面図である。
【図７】本発明に係る情報入力装置の別実施形態における要部の断面図である。
【図８】本発明に係る情報入力装置の別実施形態における要部の断面図である。
【図９】本発明に係る情報入力装置の別実施形態における要部の断面図である。
【図１０】本発明に係る情報入力装置の別実施形態における要部の断面図である。
【図１１】本発明に係る情報入力装置の別実施形態における要部の断面図である。
【図１２】本発明に係る情報入力装置の別実施形態における要部の断面図である。
【図１３】本発明に係る情報入力装置の別実施形態における要部の断面図である。
【図１４】本発明に係る情報入力装置の別実施形態における要部の断面図である。
【図１５】本発明に係る情報入力装置の別実施形態における圧力検出部と初期荷重付与部の配置を示す図である。
【図１６】従来技術に係る情報入力装置の断面図である。
【図１７】感圧センサにおける荷重と抵抗値との関係を示すグラフである。
【発明を実施するための形態】
【００１９】
以下、本発明に係る情報入力装置１の実施形態を図面に基づいて説明する。
【００２０】
〔実施形態１〕
図１、図２に示すように、情報入力装置１は、前面に開口部２Ａなどが形成された筐体２に、液晶又は有機ＥＬなどの表示部３Ａを有する表示装置３と、接触式の情報入力機能を有するパネル部材４を備えて構成されている。
【００２１】
本発明において、筐体２の開口部２Ａは、図２に示すように、パネル部材４の嵌め込みを許容する段差を有するように筐体２の上面を切り抜いて形成され、その底面に、筐体２の内部に装備された表示装置３の表示部３Ａを外部に臨ませる表示装置用開口部２ａと、パネル部材４の周縁部４Ａを支持する枠状の支持部２ｂとを有している。また、筐体２はパネル部材の表面側の周縁部４Ａを覆うように構成されている。
【００２２】
開口部２Ａの形状や大きさは、パネル部材４の形状や大きさに応じて種々の変更が可能であり、又、開口部２Ａの実装深さは、パネル部材４の厚みなどに応じて種々の変更が可能であり、更に、開口部２Ａにおける表示装置用開口部２ａの形状や大きさは、表示部３Ａの形状や大きさなどに応じて種々の変更が可能である。ここでは、開口部２Ａ、表示装置用開口部２ａ、表示部３Ａ、及びパネル部材４の形状を矩形状又は略矩形状とする。ただし、パネル部材４等の形状は特に限定されず、例えば円形であってもよい。開口部２Ａの実装深さは、筐体２の表面とパネル部材４の表面とがほぼ同じ高さになるように設定されていればよい。
【００２３】
情報入力装置１には、パネル部材４に対する押圧操作力を検出するための圧力検出手段が設けられている。この圧力検出手段は、パネル部材４と支持部２ｂとに亘って設けられた圧力検出部５、及び、その圧力検出部５からの出力信号を処理する図示しない信号処理回路等から構成されている。図１及び図４に示すように、圧力検出部５はパネル部材４の周縁部４Ａに少なくとも１つ以上配置されている。この圧力検出手段は、パネル部材４に対するタッチ操作に基づいて、その操作位置となるＸ−Ｙ座標を検知する所謂タッチ入力機能を備えるものであってもよい。又、タッチ入力機能を備えるものにおいては、抵抗膜方式、静電容量方式、及び電磁誘導方式などから選択できる。
【００２４】
図４に示すように、圧力検出部５はパネル部材４の周縁部４Ａに少なくとも１つ以上配置されている。圧力検出部５に初期荷重を付与する初期荷重付与部６は弾性部材６ａを備え、圧力検出部５と支持部２ｂとの間に当該弾性部材６ａを配置している。
【００２５】
弾性部材６ａは圧力検出部５と支持部２ｂとの間ではなく、パネル部材４と圧力検出部５との間に配置されていてもよい。また、弾性部材６は圧力検出部５と支持部２ｂとの間と、パネル部材４と圧力検出部５との間の両方に配置されていてもよい。弾性部材６ａを圧力検出部５と支持部２ｂの間に配置することで、弾性部材６ａが圧力検出部５をパネル部材４の側に押圧する方向に作用し、逆に、弾性部材６ａをパネル部材４と圧力検出部５との間に配置することで、弾性部材６ａが圧力検出部５を支持部２ｂの側に押すことになる。このように、圧力検出部５に予め初期荷重が付与されているので、初期の不安定な圧力検出部５の検出値が自動的に排除される。したがって、パネル部材４を押圧操作し圧力検出部５が検出する値は、圧力検出部５の安定した検出値の範囲内の値であるので、そのまま情報入力の制御に利用できる。
【００２６】
弾性部材６ａについては、弾性を有するものであれば材質は特に限定されず、例えば、各種ゴム、板ばね、ＰＥフォーム、ウレタンフォーム、発泡体（スポンジ、発泡スチロール）等を用いることができる。また、弾性部材６ａの種類や厚み等を変更調整することで、圧力検出部５に付与する初期荷重を調整することもできる。
【００２７】
圧力検出部５の構成は特に限定されるものではないが、一例として感圧インクを用いた圧力検出部５について説明する。圧力検出部５は、図３に示すように、枠状の上部電極２１と、上部電極２１に対向配置された枠状の下部電極２２との間に、ドット状の上部感圧インク部材２３ａとドット状の下部感圧インク部材２３ｂとを有している。上部感圧インク部材２３ａは、上部電極２１を被覆するように配置され、下部感圧インク部材２３ｂは、下部電極２２を被覆し且つ上部感圧インク部材２３ａと対向するように配置されている。感圧インク部分の電極は、感圧インク印刷寸法より若干小さくなるように設計してある。しかし、電極部分が対向する基板に配置された電極に直接接触しないよう配慮してあるのであれば、寸法サイズ等は特に限定されない。圧力検出部５は、パネル部材４の下面に、例えば糊等の接着剤や両面粘着テープ等の粘着層によって貼着されている。上部及び下部電極２１、２２の厚み寸法は、例えば、１０μｍ〜２０μｍに設定されている。上部又は下部感圧インク部材２３ａ、２３ｂの厚み寸法は、例えば１５μｍ〜３５μｍに設定されている。尚、感圧インク部材は上部あるいは下部の１層だけであってもよい。感圧インク部材の形状はドット状に限定されず、平面視において円形、矩形、枠状であってもよい。電極についても、必ずしも枠状に配置する必要はなく、枠状の基板上に個別独立して配置されていてもよい。また、電極を感圧インク部材の上下両面ではなく、上下面のうちいずれか一方の面にのみ配置するようにしてもよい。この場合、一対の電極を櫛歯状、渦巻状等に形成して感圧インク部材との接触面積を制御することで、望ましい検出範囲の信号を得る事ができる。
【００２８】
上部電極２１及び下部電極２２の材料としては、金、銀、銅、若しくはニッケルなどの金属、あるいはカーボンなどの導電性を有するペーストを用いることができる。これらの形成方法としては、スクリーン印刷、オフセット印刷、グラビア印刷、若しくはフレキソ印刷などの印刷法、フォトレジスト法などが挙げられる。また、上部電極２１及び下部電極２２は、銅や金などの金属箔を貼り付けて形成することもできる。さらに、上部電極２１及び下部電極２２は、銅などの金属をメッキしたＦＰＣの上にレジストで電極パターンを形成し、レジストで保護されていない部分の金属箔をエッチング処理することによって形成することもできる。
【００２９】
上部感圧インク部材２３ａ及び下部感圧インク部材２３ｂを構成する組成物は、外力に応じて電気抵抗値などの電気特性が変化する素材で構成されている。前記組成物として、例えば、英国のＰｅｒａｔｅｃｈ社製の量子トンネル現象複合材料（商品名「ＱＴＣ」）を用いることができる。上部感圧インク部材２３ａ、下部感圧インク部材２３ｂは、塗布により上部電極２１、下部電極２２に配置することができる。上部感圧インク部材２３ａ及び下部感圧インク部材２３ｂの塗布方法としては、スクリーン印刷、オフセット印刷、グラビア印刷、又はフレキソ印刷などの印刷法を用いることもできる。
【００３０】
上部電極２１及び下部電極２２は、コネクタ（図示せず）に接続されており、コネクタは、情報入力装置１に内蔵された押圧検出部（図示せず）に接続されている。前記構成の圧力検出部５は、通常時（無加圧時）には、上部感圧インク部材２３ａと下部感圧インク部材２３ｂとは加圧されていない。この状態で、圧力検出部５上に設けられたパネル部材４のタッチ入力面に押圧操作力が加えられた場合、当該押圧操作力により、上部感圧インク部材２３ａと下部感圧インク部材２３ｂとが加圧接触する。この加圧接触によって、上部感圧インク部材２３ａ及び下部感圧インク部材２３ｂの電気抵抗値と接触抵抗値が小さくなる。この抵抗変化を検出することにより、パネル部材４へのタッチ入力面への押圧操作力を検出することができる。
【００３１】
また、パネル部材４のタッチ入力面への押圧操作力が大きくなると、上部感圧インク部材２３ａ及び下部感圧インク部材２３ｂに加えられる外力が増大することになり、上部感圧インク部材２３ａ及び下部感圧インク部材２３ｂの電気抵抗値と接触抵抗値がさらに小さくなる。このような抵抗変化を検出することによって、上部感圧インク部材２３ａ又は下部感圧インク部材２３ｂに加えられる外力を検出し、パネル部材４のタッチ入力面への押圧操作力を検出することができる。
【００３２】
〔実施形態２〕
本発明に係る情報入力装置１は、図５に示すように、圧力検出部５をパネル部材４と支持部２ｂとの間に配置し、初期荷重付与部６の弾性部材６ａをパネル部材４の表面側に配置することもできる。パネル部材４の上部に位置するこの実施形態においては、弾性部材６ａがパネル部材を介して圧力検出部５を押し付けることとなる。このため、パネル部材４を対称にして弾性部材６ａの位置と圧力検出部５の位置が多少ずれたとしても、弾性部材６ａの押付け力がパネル部材４を介して圧力検出部５に伝達される。
【００３３】
〔実施形態３〕
本発明に係る情報入力装置１は、図６に示すように、圧力検出部５をパネル部材４の表面側に配置し、初期荷重付与部６の弾性部材６ａを支持部２ｂと前記パネル部材との間に配置することもできる。このように構成することで、初期荷重付与部がパネル部材を介して圧力検出部を押し付け、圧力検出部に初期荷重として重荷重を付与し、パネル部材を押圧操作することで圧力検出部にかかる圧力を減少させる方向に作用させて、押圧力を検出することもできる。
【００３４】
〔別実施形態〕
（１）初期荷重付与部６は、図７に示すように、筐体２のパネル部材４の側面に対向する位置に形成される凸部、パネル部材４の側面に形成される凹部、凸部の下部と前記凹部の上部との間に介在される弾性部材６ａとから構成されていてもよい。このように初期荷重付与部６が構成されることによって、パネル部材４が支持部２ｂの側に押圧され圧力検出部５に初期荷重を付与することもできる。この場合、筐体２にパネル部材４の表面を支持する支持部を設ける必要がなくなるため、筐体２とパネル部材４の表面の高さを同じ高さにすることができる。
【００３５】
（２）初期荷重付与部６は、図８に示すように、支持部２ｂと筐体２の上面端部に設けられる蓋部７とから構成されていてもよい。このように構成することで、パネル部材４が蓋部７によって裏面側支持部２ｂの側に押圧され圧力検出部５に初期荷重を付与することもできる。蓋部７は、筐体２からパネル部材４の周縁部４Ａに延出して設けられる。この初期荷重付与部６が圧力検出部５に対し垂直方向に初期荷重を付与するためには、蓋部７が圧力検出部５の上方を覆う位置まで延出される方が好ましい。また、筐体２におけるパネル部材４の設置スペース等を調整することにより、筐体２のみで圧力検出部５に初期荷重が付与されることも可能である。この場合、パネル部材４を筐体２に組付けると、筐体２自体が初期荷重付与部６として圧力検出部５を押圧するように作用し、圧力検出部５に初期荷重を付与されることとなる。
【００３６】
（３）図９に示すように、圧力検出部５をパネル部材４に固着してユニット化したパネルユニットの一部として構成するようにしてもよいし、図１０及び図１１に示すように、弾性部材６ａを圧力検出部５とともにパネル部材４に固着してパネルユニットの一部として構成するようにしてもよい。パネル部材４と圧力検出部５と弾性部材６ａとを有する前記パネルユニットは、図１０のように、パネル部材４の支持部２ｂの側の接触部位に圧力検出部５、弾性部材６ａが順に積層されていてもよいし、図１１のように、パネル部材４の支持部２ｂの側の接触部位に弾性部材６ａ、圧力検出部５が順に積層されていてもよい。
【００３７】
（４）図９〜図１２に示すように、圧力検出部５とパネル部材２ｂとの間、あるいは、圧力検出部５と支持部２ｂとの間に、パネル部材４あるいは支持部２ｂからの荷重を集中して受け取り、当該荷重を圧力検出部５に分散させて伝達すると共に、圧力検出部５に対するパネル部材４あるいは支持部２ｂの姿勢変化を許容する荷重伝達部８を備えている方が好ましい。図９では、パネル部材４と支持部２ｂとの間に、圧力検出部５、凸状の荷重伝達部８、弾性部材６ａが順に配置され、このうち圧力検出部５と凸状の荷重伝達部８はパネル部材４に固着されている。図１０では、パネル部材４と支持部２ｂとの間に、圧力検出部５、弾性部材６ａ、凸状の荷重伝達部８が順に配置され、このうち圧力検出部５、弾性部材６ａ、凸状の荷重伝達部８がパネル部材４に固着されている。図１１では、パネル部材４と支持部２ｂとの間に、弾性部材６ａ、圧力検出部５、凸状の荷重伝達部８が順に配置され、パネル部材４に弾性部材６ａ、圧力検出部５、凸状の荷重伝達部８が固着されている。いずれの場合も、凸状の荷重伝達部８は支持部２ｂからの荷重を集中して受け取り、当該荷重を圧力検出部５に分散させて伝達する。これらの場合は、凸状の荷重伝達部８が弾性部材６ａに埋没してしまわないよう、凸状の荷重伝達部８と弾性部材６ａとの間に、硬質材料や非弾性材料等からなる板状部材９を介在させる方が好ましい。
【００３８】
パネル部材４の押圧操作の際にパネル部材４の周縁部４Ａが上方に反るような場合であっても、荷重伝達部８と支持部２ｂの側との接触面積がほとんど変化せず、荷重伝達部８が圧力検出部５に対する支持部２ｂの姿勢変化を許容する。このため、荷重伝達部８はパネル部材４の水平時と変わりなく、支持部２ｂからの荷重を集中して受け取り、当該荷重を圧力検出部５に分散させて伝達する。このように、パネル部材４への押圧操作力が安定的に圧力検出部５に伝達されて圧力が検出されるので、パネル部材４の押圧操作力を正確に検出することができる。
【００３９】
図１２では、パネル部材４と支持部２ｂとの間に、凸状の荷重伝達部８、板状部材９、弾性部材６ａ、圧力検出部５が順に配置され、これらは支持部２ｂに固着されている。この場合は、凸状の荷重伝達部８がパネル部材４からの荷重を集中して受け取り、当該荷重を圧力検出部５に分散させて伝達する。
【００４０】
（５）荷重伝達部８は、図１３に示すように、板状部材９と支持部２ｂに形成された凸部１０とで構成してもよいし、図１４に示すように、パネル部材の裏面側に形成された凸部１０と板状部材９とで構成してもよい。図１３では、パネル部材４と支持部２ｂとの間に、圧力検出部５、弾性部材６ａ、板状部材９、凸部１０が順に配置され、パネル部材４に圧力検出部５、弾性部材６ａ、板状部材９が固着されている。この場合は、凸部１０が支持部２ｂからの荷重を集中して板状部材９に伝達し、圧力検出部５に分散させて伝達する。また、図１４では、パネル部材４と支持部２ｂとの間に、凸部１０、板状部材９、圧力検出部５、弾性部材６ａが順に配置され、支持部２ｂに弾性部材６ａ、圧力検出部５、板状部材９が固着されている。凸部１０はパネル部材４に固設しており、凸部１０がパネル部材４からの荷重を集中して板状部材９に伝達し、圧力検出部５に分散させて伝達する。
【００４１】
（６）圧力検出部５及び初期荷重付与部６は、パネル部材４の周縁部４Ａの少なくとも一部に設けられていればよく、初期荷重付与部６は、図４に示すように、圧力検出部５の近傍に配置されていることが好ましい。初期荷重付与部６をパネル部材４の周縁部４Ａの一部に設けるようにすると、初期荷重付与部６を必要な箇所のみに設けることができ、パネル部材４に配置される圧力検出部５が少ない場合等には、情報入力装置１を製造する上で好都合となる。
【００４２】
（７）初期荷重付与部６は、図１５に示すように、パネル部材４の周縁部４Ａの全体に備えられていてもよい。パネル部材４に対して圧力検出部５を多数配置する場合等では、初期荷重付与部６をパネル部材４の周縁部４Ａの一部に備えるより周縁部４Ａの全体に備える方が容易となる場合もある。また、図示しないが、初期荷重付与部６と共に、圧力検出部５をパネル部材４の周縁部４Ａの全体に備えるようにしてもよい。
【産業上の利用可能性】
【００４３】
本発明に係る情報入力装置は、携帯電話機、スマートフォン、ＰＤＡ、カーナビゲーション装置、デジタルカメラ、デジタルビデオカメラ、遊技機、及びタブレットなどの電子機器に有効利用され、電子機器の多機能化及び操作性の向上を図るために利用できる。
【符号の説明】
【００４４】
１  情報入力装置
２  筐体
２ｂ  支持部
３  表示装置
４  パネル部材
４Ａ  周縁部
５  圧力検出部
６  初期荷重付与部
６ａ  弾性部材
８  荷重伝達部
９  板状部材
１０  凸部
【図１】
2010238176.tif 000003
【図２】
2010238176.tif 000004
【図３】
2010238176.tif 000005
【図４】
2010238176.tif 000006
【図５】
2010238176.tif 000007
【図６】
2010238176.tif 000008
【図７】
2010238176.tif 000009
【図８】
2010238176.tif 000010
【図９】
2010238176.tif 000011
【図１０】
2010238176.tif 000012
【図１１】
2010238176.tif 000013
【図１２】
2010238176.tif 000014
【図１３】
2010238176.tif 000015
【図１４】
2010238176.tif 000016
【図１５】
2010238176.tif 000017
【図１６】
2010238176.tif 000018
【図１７】
2010238176.tif 000019